【事件の表示】
　特許第３２６２０７５号「インクジェット記録ヘッド」の請求項１ないし３に係る特許に対する特許異議の申立てについて、次のとおり決定する。
【結　論】
　訂正を認める。
　特許第３２６２０７５号の請求項１ないし３に係る特許を維持する。
【理　由】
１．手続の経緯
　　
　特許第３２６２０７５号の請求項１ないし３に係る発明は、平成１０年７月２９日に特許出願され、平成１３年１２月２１日にその特許権の設定登録がなされ、その後、特許異議申立人　松井弘三により特許異議の申立てがなされ、取消しの理由が通知され、その指定期間内である平成１５年１月１４日に訂正請求（後日取下げ）がなされ、特許異議申立人に対して審尋がなされ、特許異議申立人より平成１５年２月２６日に回答書が提出された後、再度の取消しの理由が通知され、その指定期間内である平成１５年７月２３日に訂正請求がなされたものである。
　　
２．訂正の適否についての判断
　　
（１）訂正の趣旨及び訂正の内容
ア．訂正事項１
　特許請求の範囲の減縮及び明りょうでない記載の釈明を目的として、請求項１を
「圧力室を加圧するための圧力発生素子を取り付けた振動板と、前記圧力室を形成するチャンバプレートと、前記圧力室の両端部において連通する連通孔とインク供給口とを備える供給プレートと、前記インク供給口を介して前記圧力室に連通するインク室および前記圧力室に連通する連通孔を備えるインク室プレートと、前記インク室プレートの他面を封止するとともに前記各連通孔を介して前記圧力室に接続するノズルを備えるノズルプレートとを積層して備えるインクジェット記録ヘッドにおいて、
断面積が前記インク室へのインク注入口近傍から遠方に一定割合で減少する形状である前記インク室を備えることを特徴とするインクジェット記録ヘッド。」
から
「圧力室を加圧するための圧力発生素子を取り付けた振動板と、前記圧力室を形成するチャンバプレートと、前記圧力室の両端部において
ノズルに
た
た
と、を順次積層した
断面積が前記インク室へのインク注入口近傍
を徐々に大きくしてから直ちに
と訂正する（訂正箇所にアンダーラインを付した。以下同じ。）。
　　
イ．訂正事項２
　特許請求の範囲の減縮及び明りょうでない記載の釈明を目的として、請求項２を
「圧力室を加圧するための圧力発生素子を取り付けた振動板と、前記圧力室を形成するチャンバプレートと、前記圧力室の両端部において連通する連通孔とインク供給口とを備える供給プレートと、前記インク供給口を介して前記圧力室に連通するインク室および前記圧力室に連通する連通孔を備えるインク室プレートと、前記インク室プレートの他面を封止するとともに前記各連通孔を介して前記圧力室に接続するノズルを備えるノズルプレートとを積層して備えるインクジェット記録ヘッドにおいて、
断面積が前記インク室へのインク注入口近傍から遠方に一定割合で減少する第１の形状と、前記割合よりさらに大きい割合で減少する第２の形状とから成る前記インク室を備えることを特徴とするインクジェット記録ヘッド。」
から
「圧力室を加圧するための圧力発生素子を取り付けた振動板と、前記圧力室を形成するチャンバプレートと、前記圧力室の両端部において
ノズルに
た
た
と、を順次積層した
断面積が前記インク室へのインク注入口近傍
を徐々に大きくしてから直ちに
と訂正する。
　　
ウ．訂正事項３
　特許請求の範囲の減縮及び明りょうでない記載の釈明を目的として、請求項３を
「圧力室を加圧するための圧力発生素子を取り付けた振動板と、前記圧力室を形成するチャンバプレートと、前記圧力室の両端部において連通する連通孔とインク供給口とを備える供給プレートと、前記インク供給口を介して前記圧力室に連通するインク室および前記圧力室に連通する連通孔を備えるインク室プレートと、前記インク室プレートの他面を封止するとともに前記各連通孔を介して前記圧力室に接続するノズルを備えるノズルプレートとを積層して備えるインクジェット記録ヘッドにおいて、
断面積が前記インク室へのインク注入口近傍から遠方に一定割合で減少する第１の形状と、前記割合よりさらに大きい割合で減少する第２の形状とから成り、前記第２の形状長さが全長の１／２以下である前記インク室を備えることを特徴とするインクジェット記録ヘッド。」
から
「圧力室を加圧するための圧力発生素子を取り付けた振動板と、前記圧力室を形成するチャンバプレートと、前記圧力室の両端部において
ノズルに
た
た
と、を順次積層した
断面積が前記インク室へのインク注入口近傍
を徐々に大きくしてから直ちに
と訂正する。
　　
エ．訂正事項４
　明りょうでない記載の釈明を目的として、段落【０００６】を、
「　【課題を解決するための手段】
　本発明のインクジェット記録ヘッドは、圧力室を加圧するための圧力発生素子を取り付けた振動板と、前記圧力室を形成するチャンバプレートと、前記圧力室の両端部において連通する連通孔とインク供給口とを備える供給プレートと、前記インク供給口を介して前記圧力室に連通するインク室および前記圧力室に連通する連通孔を備えるインク室プレートと、前記インク室プレートの他面を封止するとともに前記各連通孔を介して前記圧力室に接続するノズルを備えるノズルプレートとを積層して備えるインクジェット記録ヘッドにおいて、断面積が前記インク室へのインク注入口近傍から遠方に一定割合で減少する形状である前記インク室を備える。」
から
「　【課題を解決するための手段】
　本発明のインクジェット記録ヘッドは、圧力室を加圧するための圧力発生素子を取り付けた振動板と、前記圧力室を形成するチャンバプレートと、前記圧力室の両端部において
ノズルに
た
た
と、を順次積層した
を徐々に大きくしてから直ちに
と訂正する。
　　
オ．訂正事項５
　明りょうでない記載の釈明を目的として、段落【０００７】を、
「また、本発明のインクジェット記録ヘッドは、圧力室を加圧するための圧力発生素子を取り付けた振動板と、前記圧力室を形成するチャンバプレートと、前記圧力室の両端部において連通する連通孔とインク供給口とを備える供給プレートと、前記インク供給口を介して前記圧力室に連通するインク室および前記圧力室に連通する連通孔を備えるインク室プレートと、前記インク室プレートの他面を封止するとともに前記各連通孔を介して前記圧力室に接続するノズルを備えるノズルプレートとを積層して備えるインクジェット記録ヘッドにおいて、断面積が前記インク室へのインク注入口近傍から遠方に一定割合で減少する第１の形状と、前記割合よりさらに大きい割合で減少する第２の形状とから成る前記インク室を備える。」
から
「また、本発明のインクジェット記録ヘッドは、圧力室を加圧するための圧力発生素子を取り付けた振動板と、前記圧力室を形成するチャンバプレートと、前記圧力室の両端部において
ノズルに
た
た
と、を順次積層した
を徐々に大きくしてから直ちに
と訂正する。
　　
カ．訂正事項６
　明りょうでない記載の釈明を目的として、段落【０００８】を、
「さらに、本発明のインクジェット記録ヘッドは、圧力室を加圧するための圧力発生素子を取り付けた振動板と、前記圧力室を形成するチャンバプレートと、前記圧力室の両端部において連通する連通孔とインク供給口とを備える供給プレートと、前記インク供給口を介して前記圧力室に連通するインク室および前記圧力室に連通する連通孔を備えるインク室プレートと、前記インク室プレートの他面を封止するとともに前記各連通孔を介して前記圧力室に接続するノズルを備えるノズルプレートとを積層して備えるインクジェット記録ヘッドにおいて、断面積が前記インク室へのインク注入口近傍から遠方に一定割合で減少する第１の形状と、前記割合よりさらに大きい割合で減少する第２の形状とから成り、前記第２の形状長さが全長の１／２以下である前記インク室を備える。」
から
「さらに、本発明のインクジェット記録ヘッドは、圧力室を加圧するための圧力発生素子を取り付けた振動板と、前記圧力室を形成するチャンバプレートと、前記圧力室の両端部において
ノズルに
た
た
と、を順次積層した
を徐々に大きくしてから直ちに
と訂正する。
　　
（２）訂正の目的の適否、及び新規事項の有無及び拡張・変更の存否
　訂正事項１〜３は、請求項１〜３に係る発明を特定する事項であるインクジェット記録ヘッドを特許明細書の段落【００２３】及び図面第８図及び第９図の記載に基づきより具体的に限定して、特許請求の範囲の減縮を目的とするものであり、かつ、明りょうでない記載の釈明を目的とするものであって、上記訂正事項４〜６は、特許請求の範囲の記載と発明の詳細な説明の記載との不整合を回避するために行う、明りょうでない記載の釈明を目的とするものということができる。
　また、これら訂正事項１〜６は、特許明細書又は図面に記載された事項の範囲内の訂正であり、実質的に特許請求の範囲を拡張又は変更するものではない。
　　
（３）むすび
　　
　以上のとおりであるから、上記訂正は、特許法第１２０条の４第２項及び同条第３項において準用する特許法第１２６条第２項から第４項までの規定に適合するので、当該訂正を認める。
　　
３．特許異議の申立てについての判断
　　
（１）異議申立ての理由の概要
　　
　異議申立人　松井弘三は、甲第１号証（米国特許第４，６８０，５９５号明細書）を提出して、本件発明１ないし３は、甲第１号証の記載に基づいて当業者が容易に発明をすることができたものであるから、特許法第２９条第２項の規定により、特許を受けることができない旨の主張をしている。
　　
（２）本件の請求項１ないし３に係る発明
　　
　上記２．で示したように上記訂正が認められるから、本件の請求項１ないし３に係る発明（以下、「本件発明１ないし３」という。）は、上記訂正請求に係る訂正明細書の特許請求の範囲の請求項１ないし３にそれぞれ記載された事項により特定されるとおりのものである。
　　
（３）引用刊行物記載の発明
　　
　当審が通知した平成１５年５月２１日付けの取消しの理由に引用された刊行物Ａ（特開平８−７２２５９号公報）には、インクジェット記録装置に関して
（Ａ−１）「インクを加圧する圧力発生手段を有するインク室と、インク
供給口と、リザーバとを順に積層配置し、前記インク室は複数のノズルそれぞれにノズル連通路で連結して配置され、前記リザーバの底壁として覆蓋するインク供給路形成基板に前記インク供給口が形成され、前記リザーバに前記インク室の並び方向にインクが供給されるインクジェット記録装置であって、前記インク供給口を少なくとも前記リザーバの先端部でリザーバの幅方向に分布して配置することを特徴とするインクジェット記録装置。…前記リザーバの先端部の幅を中央部分より相対的に狭くし、且つ前記インク供給口を前記リザーバの先端部でリザーバの幅方向に分布して配置することを特徴とする請求項１記載のインクジェット記録装置。」（特許請求の範囲の請求項１及び請求項２）、
（Ａ−２）「図２は、本発明のインクジェット記録装置の一実施例を示す平面図であり、図３は、その分解斜視図である。」（明細書の段落【００１２】）、
（Ａ−３）「このインクジェット記録装置は、板状のアクチュエータユニット２０と同じく板状の流路ユニット３０とを積層して構成されている。」（明細書の段落【００１３】）、
（Ａ−４）「アクチュエータユニット２０は　インク室形成基板２１と振動板２２とを順次積層して構成されている。振動板２２上にはそれぞれのインク室３に対応した圧力発生素子２３が形成されている。インク滴吐出に必要なインク圧力を発生するインク室３は、インク室形成基板２１に細長く形成された通孔により平面内の配列が確定され、通孔の周囲が側壁となり複数のインク室３に区画されている。」（明細書の段落【００１４】）、
（Ａ−５）「流路ユニット３０はノズルプレート３１とリザーバ形成基板３２とインク供給路形成基板３３とを順次積層して構成される。リザーバ形成基板３２には、リザーバ４を確定する通孔が形成されており、通孔の一方をノズルプレート３１で、他方をインク供給路形成基板３３で封止することでリザーバ４を構成している。このリザーバ４は、インク収納部からのインクを各インク室３に分岐させるマニフォールドとしての機能を有している。このリザーバ４にあって、各インク室３と平面的に重なる部分のインク流路形成基板３３には、リザーバ４から各インク室３へ個別にインクを供給するインク供給口２が穿孔されており、アクチュエータユニット２０と平面的に重ならない部分のインク流路形成基板３３には、インク収納部からのインクをリザーバ４に導くリザーバ口７が穿孔されている。また、ノズルプレート３１にはインク滴を吐出するノズル１が、インク室３に対応して穿孔されている。このノズル１と対応するインク室３とを接続するために、インク供給路形成基板３３とリザーバ形成基板３２にはノズル１に対応してノズル連通路３４、３５が形成されている。」（明細書の段落【００１５】）、
（Ａ−６）「圧力発生素子と圧電素子２３を用いた本実施例では、圧電素子２３と振動板２２によりユニモルフアクチュエータが構成され、圧電素子２３への電圧印加により圧電素子２３は面内方向に収縮し、振動板２２はインク室３を収縮する方向にたわみ変形する。このとき発生する流体圧力により、インク室３からノズル連通路３４、３５を経てノズル１につながるインク流れが発生し、ノズル開口よりインク滴が吐出する。」（明細書の段落【００１６】）、
（Ａ−７）「インク収納部から導かれたインクはリザーバ口７、リザーバ４、インク供給口２を経由してインク室３に供給される。リザーバ口７からリザーバ４に供給されたインクは、リザーバ４内で矢印Cの方向に供給されるが、リザーバ４の先端部Ｄにおいてインクの流速分布の偏りが生じる。そのために、図８に示されている従来技術のように、インク供給口２を一列に配置した場合には、リザーバ４内にインク淀みが生じ、インク中に混入した微細な気泡がリザーバ４の先端部Ｄで滞留する。」（明細書の段落【００１９】）、
（Ａ−８）「更に、本実施例では、図２に示されているように、リザーバ４の先端部Dの幅を中央部分Ｅより相対的に狭くしている。このような構造にすることによって、リザーバ４先端部のインク流速分布を均一化して、リザーバ４内のインクの淀み部分を小さくすることができる。また、コンプライアンスが小さくならないので、クロストークの発生を抑えることができる。」（明細書の段落【００２１】）、
と記載されている。
　そして、同じく当審が通知した平成１５年５月２１日付けの取消しの理由に引用された刊行物Ｂ（米国特許第４，６８０，５９５号明細書：特許異議申立人提出の甲第１号証に同じ）及び刊行物Ｃ（特開平４−３５５１４７号公報）には、インクジェット記録ヘッドにおけるインク室の形状に関して
「インク室の形状について、インク室の断面積が、遠方に一定割合で減少する形状としたもの、及び、インク室の断面積が、遠方に一定割合で減少する第１の形状と、前記割合よりさらに大きい割合で減少する第２の形状とから成り、前記第２の形状長さが全長の１／２以下である形状としたもの」、
がそれぞれ記載されていると認められる。
　さらに、当審が通知した平成１５年５月２１日付けの取消しの理由に引用された刊行物Ｄ（特開平６−２５５１０３号公報）には、インクジェットヘッドにおけるインク室の形状に関して
「インク室の形状について、インク室の断面積を、インク室へのインク注入口近傍を徐々に大きくし、その後一定の大きさとしてから遠方に一定割合で減少する形状とすること」、
が記載されていると認められる。
　加えて、異議申立人が平成１５年２月２６日に提出した回答書に添付された参考資料１（特開平７−６８７５６号公報）及び参考資料２（特開昭５５−１４２０７号公報）には、
「インク室のインク注入口近傍を徐々に大きくしたもの」
が、それぞれ記載されていると認められる。
　また、当審が通知した平成１５年５月２１日付けの取消しの理由に引用された、当該特許出願の日前の他の特許出願である特許出願Ｅ（特願平１０−２４７４１号（特開平１１−２２１９１８号　参照））には、インクジェット記録ヘッドに関して
（Ｅ−１）「共通流路を介してインク溜まりにインクを充填し、
　該充填されたインクを、前記インク溜まりに形成された供給口を介して圧力室先に形成されたノズル孔から吐出するインクジェット記録ヘッドにおいて、
　前記インク溜まりに形成された気泡抜き孔と、
　前記気泡抜き孔と外部とを接続する気泡抜き溝とを有し、
　前記インク溜まり内に混入してくる気泡を、前記気泡抜き孔、及び前記気泡抜き溝を介してスムーズに外部に排出することを特徴とするインクジェット記録ヘッド。」（特許請求の範囲の請求項１）、
（Ｅ−２）「まず、本発明に係るインクジェット記録ヘッドの第１の実施形態について図面を参照して説明する。図１に本発明に係るインクジェット記録ヘッドの第１の実施形態の上面断面図を示す。また、図３に、図１に示される一点鎖線矢印方向でのインクジェット記録ヘッドの横断面図を示す。」（明細書の段落【００２５】）、
（Ｅ−３）「図１及び図３に示されるように、このインクジェット記録ヘッドは、インクタンク等からインクが供給される流路となる共通流路６と、共通流路６から供給されたインクが充填されるインク溜まり５と、このインク溜まり５に形成された少なくとも１以上（図１では５個）の供給口４と、この供給口４を介してインク溜まり５に充填されたインクを外部に吐出するための圧力室３と、圧力室３の排出面に形成されたノズルプレート１と、このノズルプレート１に形成されたノズル孔２と、インク溜まり５の終端部に形成された気泡抜き孔８と、気泡抜き孔８と外部とを接続するための気泡抜き溝７と、圧力室３と交互に形成されインク溜まりに非接続のダミー溝９とを有して構成される。」（明細書の段落【００２６】）、
（Ｅ−４）「また、図３からも明らかなように、このインクジェット記録ヘッドは、固定板１０上に形成され、圧力室３を含む気泡抜き溝７の部分は圧力室形成部材１１により形成され、供給口４を含む気泡抜き孔８の部分は供給口形成部材１２により形成され、インク溜まり５の部分は、インク溜まり形成部材１３により形成されている。」（明細書の段落【００２７】）、
と記載されている。
　　
４．対比・判断
（１）本件発明１について
　本件発明１と上記刊行物Ａ〜Ｄ及び参考資料１、２に記載の発明とを対比すると、上記刊行物Ａ〜Ｄ及び参考資料１、２に記載の発明は、本件発明１を特定する事項である、
「断面積が前記インク室へのインク注入口近傍を徐々に大きくしてから直ちに遠方に一定割合で減少する形状である前記インク室を備えること」
という事項について、記載も示唆もされていない。
　そして、本件発明１は当該事項により、
「インク注入口６近傍のインクの流れの助走区間ができるため、インクの流れがより均等になる。」（段落【００２３】）
ことにより、
「インク室の奥に溜まりやすい残留気泡を排出し易いインク室の形状としている、ということである。その理由は、インク注入口近傍のインク流速に対してインク注入口より遠方のインク流速を低下させない形状にしているためである。」（段落【００２５】）
という、格別の効果を奏するものであり、本件発明１は上記刊行物Ａ〜Ｄの記載に基づいて、あるいは、上記刊行物Ａ〜Ｄ及び上記参考資料１及び２に記載の事項に基づいて当業者が容易に発明をすることができたものとはいえない。
　また、本件発明１と上記特許出願Ｅの願書に最初に添付された明細書又は図面に記載された発明を対比すると、上記特許出願Ｅの願書に最初に添付された明細書又は図面に記載された発明は、本件発明１を特定する事項である、
「圧力室を加圧するための圧力発生素子を取り付けた振動板と、前記圧力室を形成するチャンバプレートと、前記圧力室の両端部においてノズルに連通する連通孔とインク供給口とを備える供給プレートと、前記インク供給口を介して前記圧力室に連通するインク室および前記圧力室に連通する連通孔を備えるインク室プレートと、前記インク室プレートの他面を封止するとともに前記各連通孔を介して前記圧力室に接続するノズルを備えるノズルプレートと、を順次積層したインクジェット記録ヘッド」
という事項について、記載も示唆もされていない。
　すなわち、本件発明１は当該特許出願の日前の他の特許出願である上記特許出願Ｅの願書に最初に添付された明細書又は図面に記載された発明と同一ではない。
　　
（２）本件発明２について
　本件発明２と上記刊行物Ａ〜Ｄ及び参考資料１、２に記載の発明とを対比すると、上記刊行物Ａ〜Ｄ及び参考資料１、２に記載の発明は、本件発明２を特定する事項である、
「断面積が前記インク室へのインク注入口近傍を徐々に大きくしてから直ちに遠方に一定割合で減少する第１の形状と、前記割合よりさらに大きい割合で減少する第２の形状とから成る前記インク室を備えること」
という事項について、記載も示唆もされていない。
　そして、本件発明２は当該事項により、
「インク注入口６近傍のインクの流れの助走区間ができるため、インクの流れがより均等になる。」（段落【００２３】）
ことにより、
「インク室の奥に溜まりやすい残留気泡を排出し易いインク室の形状としている、ということである。その理由は、インク注入口近傍のインク流速に対してインク注入口より遠方のインク流速を低下させない形状にしているためである。」（段落【００２５】）
という、格別の効果を奏するものであり、本件発明１は上記刊行物Ａ〜Ｄの記載に基づいて、あるいは、上記刊行物Ａ〜Ｄ及び上記参考資料１及び２に記載の事項に基づいて当業者が容易に発明をすることができたものとはいえない。
　また、本件発明２と上記特許出願Ｅの願書に最初に添付された明細書又は図面に記載された発明を対比すると、上記特許出願Ｅの願書に最初に添付された明細書又は図面に記載された発明は、本件発明２を特定する事項である、
「圧力室を加圧するための圧力発生素子を取り付けた振動板と、前記圧力室を形成するチャンバプレートと、前記圧力室の両端部においてノズルに連通する連通孔とインク供給口とを備える供給プレートと、前記インク供給口を介して前記圧力室に連通するインク室および前記圧力室に連通する連通孔を備えるインク室プレートと、前記インク室プレートの他面を封止するとともに前記各連通孔を介して前記圧力室に接続するノズルを備えるノズルプレートと、を順次積層したインクジェット記録ヘッド」
という事項について、記載も示唆もされていない。
　すなわち、本件発明２は当該特許出願の日前の他の特許出願である上記特許出願Ｅの願書に最初に添付された明細書又は図面に記載された発明と同一ではない。
　　
（３）本件発明３について
　本件発明３と上記刊行物Ａ〜Ｄ及び参考資料１、２に記載の発明とを対比すると、上記刊行物Ａ〜Ｄ及び参考資料１、２に記載の発明は、本件発明３を特定する事項である、
「断面積が前記インク室へのインク注入口近傍を徐々に大きくしてから直ちに遠方に一定割合で減少する第１の形状と、前記割合よりさらに大きい割合で減少する第２の形状とから成り、前記第２の形状長さが全長の１／２以下である前記インク室を備えること」
という事項について、記載も示唆もされていない。
　そして、本件発明３は当該事項により、
「インク注入口６近傍のインクの流れの助走区間ができるため、インクの流れがより均等になる。」（段落【００２３】）
ことにより、
「インク室の奥に溜まりやすい残留気泡を排出し易いインク室の形状としている、ということである。その理由は、インク注入口近傍のインク流速に対してインク注入口より遠方のインク流速を低下させない形状にしているためである。」（段落【００２５】）
という、格別の効果を奏するものであり、本件発明３は上記刊行物Ａ〜Ｄの記載に基づいて、あるいは、上記刊行物Ａ〜Ｄ及び上記参考資料１及び２に記載の事項に基づいて当業者が容易に発明をすることができたものとはいえない。
　また、本件発明３と上記特許出願Ｅの願書に最初に添付された明細書又は図面に記載された発明を対比すると、上記特許出願Ｅの願書に最初に添付された明細書又は図面に記載された発明は、本件発明３を特定する事項である、
「圧力室を加圧するための圧力発生素子を取り付けた振動板と、前記圧力室を形成するチャンバプレートと、前記圧力室の両端部においてノズルに連通する連通孔とインク供給口とを備える供給プレートと、前記インク供給口を介して前記圧力室に連通するインク室および前記圧力室に連通する連通孔を備えるインク室プレートと、前記インク室プレートの他面を封止するとともに前記各連通孔を介して前記圧力室に接続するノズルを備えるノズルプレートと、を順次積層したインクジェット記録ヘッド」
という事項について、記載も示唆もされていない。
　すなわち、本件発明３は当該特許出願の日前の他の特許出願である上記特許出願Ｅの願書に最初に添付された明細書又は図面に記載された発明と同一ではない。
　　
５．むすび
　以上のとおりであるから、特許異議の申立ての理由によっては本件請求項１ないし３に係る発明についての特許を取り消すことができない。
　また、他に本件請求項１ないし３に係る発明についての特許を取り消すべき理由を発見しない。
　よって、結論のとおり決定する。
【異議決定日】
平成１５年９月５日（２００３．９．５）
【訂正の要旨】
審決（決定）の【理由】欄参照。
（５４）【発明の名称】
インクジェット記録ヘッド
（５７）【特許請求の範囲】
　【請求項１】　圧力室を加圧するための圧力発生素子を取り付けた振動板と、
　前記圧力室を形成するチャンバプレートと、
　前記圧力室の両端部において
ノズルに
　前記インク供給口を介して前記圧力室に連通するインク室および前記圧力室に連通する連通孔を備えたインク室プレートと、
　前記インク室プレートの他面を封止するとともに前記各連通孔を介して前記圧力室に接続するノズルを備えるノズルプレートと、
　を
順次積層した
　断面積が前記インク室へのインク注入口近傍
を徐々に大きくして
直ちに
　【請求項２】　圧力室を加圧するための圧力発生素子を取り付けた振動板と、
　前記圧力室を形成するチャンバプレートと、
　前記圧力室の両端部において
ノズルに
　前記インク供給口を介して前記圧力室に連通するインク室および前記圧力室に連通する連通孔を備えたインク室プレートと、
　前記インク室プレートの他面を封止するとともに前記各連通孔を介して前記圧力室に接続するノズルを備えるノズルプレートと、
　を
順次積層した
　断面積が前記インク室へのインク注入口近傍
を徐々に大きくして
直ちに
　【請求項３】　圧力室を加圧するための圧力発生素子を取り付けた振動板と、
　前記圧力室を形成するチャンバプレートと、
　前記圧力室の両端部において
ノズルに
　前記インク供給口を介して前記圧力室に連通するインク室および前記圧力室に連通する連通孔を備えたインク室プレートと、
　前記インク室プレートの他面を封止するとともに前記各連通孔を介して前記圧力室に接続するノズルを備えるノズルプレートと、
　を
順次積層した
　断面積が前記インク室へのインク注入口近傍
を徐々に大きくして
直ちに
【発明の詳細な説明】
　【０００１】
　【発明の属する技術分野】本発明はインクジェット記録ヘッドに関し、特にインク室の奥に溜まりやすい残留気泡を排出し易い構造のインクジェット記録ヘッドに関する。
　【０００２】
　【従来の技術】従来、この種のインクジェット記録ヘッドは、たとえば特開平９−３１４８３６号公報に示されるように、圧力室を加圧するための圧力発生素子を取り付けた振動板と、圧力室を形成するチャンバプレートと、圧力室の両端部において連通する連通孔とインク供給口とを備える供給プレートと、インク供給口を介して圧力室に連通するインク室および圧力室に連通する連通孔を備えるインク室プレートと、このインク室プレートの他面を封止するとともに各連通孔を介して圧力室に接続するノズルを備えるノズルプレートとを積層して構成されている。
　【０００３】この従来のインクジェット記録ヘッドにおけるインク室の形状は、
図１０
　【０００４】
　【発明が解決しようとする課題】この従来のインクジェット記録ヘッドの問題点は、インク室のインク注入口から離れた部分に残留気泡が溜まりやすい、ということである。その理由は、インク室の形状がインク注入口近傍とインク注入口より遠方との断面積がほぼ同じであるからである。インク室および圧力室にインクを充填する際、インク注入口に連通するインクカートリッジのインクをノズルより吸引を行い、充填がなされる。すなわち、インク注入口より充填されるインクはインク注入口に近い供給口の方から順次充填されていきインク注入口より遠いところでは、インクの流速が低下し、流れが淀みやすくなるためである。この流れの淀み箇所に気泡が溜まることにより、吐出不良を引き起こしたり、気泡によりインクの充填が阻害されるという問題を引き起こしていた。
　【０００５】本発明の目的は、インク室の奥に溜まりやすい残留気泡を排出し易い構造のインクジェット記録ヘッドを提供することにある。
　【０００６】
　【課題を解決するための手段】　本発明のインクジェット記録ヘッドは、圧力室を加圧するための圧力発生素子を取り付けた振動板と、前記圧力室を形成するチャンバプレートと、前記圧力室の両端部において
ノズルに
順次積層した
を徐々に大きくして
直ちに
　【０００７】　また、本発明のインクジェット記録ヘッドは、圧力室を加圧するための圧力発生素子を取り付けた振動板と、前記圧力室を形成するチャンバプレートと、前記圧力室の両端部において
ノズルに
順次積層した
を徐々に大きくして
直ちに
　【０００８】　さらに、本発明のインクジェット記録ヘッドは、圧力室を加圧するための圧力発生素子を取り付けた振動板と、前記圧力室を形成するチャンバプレートと、前記圧力室の両端部において
ノズルに
順次積層した
を徐々に大きくして
直ちに
　【０００９】
　【００１０】
　【００１１】
　【００１２】
　【発明の実施の形態】次に、本発明の実施の形態について図面を参照して詳細に説明する。
　【００１３】
図１
図２
図１
図３
図１
図４
　【００１４】
図１
図４
　【００１５】振動板１４は、厚さ１０μｍ程度のニッケルの薄板から構成され、その表面に、後述する圧力室８に対向するように厚さ１０μｍ程度のＰＺＴ等からなる圧力発生素子５が固定されている。圧力室８は、圧力発生素子５のたわみ振動を受けて収縮、膨張してノズル３からインク滴を吐出し、インク供給口４を介してインク室２からインクを吸引する。
　【００１６】チャンバプレート１３は、幅３００μｍ長さ２ｍｍ程度の圧力室８を形成するのに適した厚さ１４０μｍ程度のＳＵＳ板に通孔を穿設して構成され、後述する供給プレート１２と振動板１４とにより両面を封止されて前述の圧力室８を形成している。
　【００１７】供給プレート１２は、７５μｍ程度のＳＵＳ板に、圧力室８と接続するインク供給口４と、ノズル３と圧力室８の他端とを接続するノズル連通孔７とを穿設して構成されている。
　【００１８】インク室プレート１１は、直径３５μｍ程度のインク供給口４を介して圧力室８に連通するインク室２および圧力室８に連通するノズル連通孔７を備え、例えば１４０μｍ程度のＳＵＳ板で構成されている。
　【００１９】ノズルプレート１０は、７５μｍ程度のＳＵＳ板で構成され、インク室プレート１１の他面を封止するとともに各ノズル連通孔７を介して圧力室８に接続する直径３０μｍ程度のノズルを形成している。
　【００２０】
図５
図９
図２
図５
図９
　【００２１】
図５
　【００２２】
図７
図５
　【００２３】
図８
図９
図５
図７
　【００２４】
図６
図５
　【００２５】
　【発明の効果】以上説明したように、本発明の第１の効果は、インク室の奥に溜まりやすい残留気泡を排出し易いインク室の形状としている、ということである。その理由は、インク注入口近傍のインク流速に対してインク注入口より遠方のインク流速を低下させない形状にしているためである。
　【００２６】第２の効果は、インク室の配置密度を高められるということである。その理由は、隣接するインク室の形状を互いに逆方向に配置することができるからである。
【図面の簡単な説明】
　【図１】本発明の一実施の形態の構成を示す平面図である。
　【図２】図１におけるＡ−Ａ断面図である。
　【図３】図１におけるＢ−Ｂ断面図である。
　【図４】この実施の形態の記録ヘッドの全体の概略を示す組立斜視図である。
　【図５】図２におけるＣ−Ｃ断面図であって、この実施の形態おけるインク室の形状の一例を示す。
　【図６】図２におけるＣ−Ｃ断面図であって、この実施の形態おけるインク室の形状の一例を示す。
　【図７】図２におけるＣ−Ｃ断面図であって、この実施の形態おけるインク室の形状の一例を示す。
　【図８】図２におけるＣ−Ｃ断面図であって、この実施の形態おけるインク室の形状の一例を示す。
　【図９】図２におけるＣ−Ｃ断面図であって、この実施の形態おけるインク室の形状の一例を示す。
　【図１０】図２におけるＣ−Ｃ断面図であって、従来のインク室の形状の一例を示す。
　【符号の説明】　１　記録ヘッド　２　インク室　３　ノズル　４　インク供給口　５　圧力発生素子　７　ノズル連通孔　８　圧力室　１０　ノズルプレート　１１　インク室プレート　１２　供給プレート　１３　チャンバプレート　１４　振動板